(57)【特許請求の範囲】
【請求項１】
ユーザの生体情報と生活習慣情報を抽出条件として入力する入力手段と，
健康状態に関連する行動をメニューとして記憶するメニュー記憶手段と，
複数の測定タイミングにおいて測定された複数の被験者の体重情報を記憶する体重記憶手段と，
前記複数の被験者の生体情報と生活習慣情報を含む被験者情報を記憶する被験者情報記憶手段と、
前記複数の測定タイミングで区切られる所定期間内において，前記メニュー毎に，前記複数の被験者が前記メニューを選択した選択回数と前記メニューを実施した実施回数を夫々記憶するメニュー実施状況記憶手段とを有する保健指導支援システムにおいて，
前記入力手段により入力された前記ユーザの生体情報と生活習慣情報をもとに前記被験者情報記憶手段に記憶された前記複数の被験者の前記被験者情報から対応する被験者の前記被験者情報を抽出し、前記体重記憶手段から前記被験者の体重情報を抽出し、前記メニュー実施状況記憶手段から前記所定期間内において前記被験者によって選択された前記メニュー及び前記メニューを選択した選択回数と前記メニューを実施した実施回数とを抽出する抽出手段と，
前記所定期間内において前記被験者によって選択された前記メニュー毎に，前記選択回数に対する前記実施回数の割合を実施率として算出する実施率算出手段と，
前記所定期間内において前記被験者によって選択された前記メニュー毎に，前記被験者の体重変化量と前記実施回数から，前記メニューの実施が寄与した前記体重変化量を減量効果として算出する減量効果算出手段と，
前記メニュー毎に前記実施率と前記減量効果を対応付けて表示する表示手段とを備えることを特徴とする保健指導支援システム。
【請求項２】
請求項１に記載の保健指導支援システムであって，
前記表示手段が，前記実施率または前記減量効果によって複数の前記メニューを順位付けて表示することを特徴とする保健指導支援システム。
【請求項３】
請求項１または請求項２に記載の保健指導支援システムであって，
前記メニュー記憶手段が，前記メニューを少なくとも1つ以上のカテゴリで分類して記憶し，
前記実施率算出手段が前記カテゴリ毎に前記実施率を算出し，
前記減量効果算出手段が前記カテゴリ毎に前記減量効果を算出することを特徴とする保健指導支援システム。
【請求項４】
請求項１から請求項３に記載の保健指導支援システムであって，
前記メニュー記憶手段の情報を更新するメニュー登録手段を有することを特徴とする保健指導支援システム。
【請求項５】
請求項１または４に記載の保健指導支援システムであって、
前記表示手段は、前記メニュー記憶手段に記憶された前記メニューを複数表示可能であり、該表示された前記メニューの内、前記入力手段を介して選択された前記メニューを前記メニュー登録手段に登録することを特徴とする保健指導支援システム。
【請求項６】
請求項１に記載の保健指導支援システムであって、
前記生体情報及び生活習慣情報には少なくとも前記ユーザの体重を含み、前記体重記憶手段は、当該生体情報及び生活習慣情報を記憶することを特徴とする保健指導支援システム。
【請求項７】
請求項１，５，６のいずれかに記載の保健指導支援システムであって、
所定期間間隔で複数回前記入力手段に入力された前記体重の推移と前記体重記憶手段に記憶された複数の被験者の体重情報とを比較する算出手段を備え、
前記比較の結果、類似した体重情報を有する被験者の情報を前記抽出手段により抽出し、前記実施率及び減量効果を算出して前記表示手段に表示することを特徴とする保健指導支援システム。
【発明の詳細な説明】
【技術分野】
【０００１】
疾病の予防，治療等の目的により対象者の食習慣，運動習慣などの生活習慣を改善するために行う保健指導を支援する保健指導支援システムに関する。
【背景技術】
【０００２】
現在，糖尿病，高脂血症，高血圧などに代表される生活習慣病の増加が問題となっている。生活習慣病の最も大きな原因の一つは肥満といわれており，肥満の予防・改善は生活習慣病予防に最も重要である。このため，健診等で肥満または体重が増加傾向と判断された受診者に対しては，食事や運動の改善により減量を促す減量指導が実施されることが多い。
【０００３】
健診施設等では，特に強い介入指導が必要な肥満者や進んで減量を望む人に対して，目標体重に向けた具体的な生活習慣改善メニューを提案する減量プログラムを実施する場合がある。この場合，減量に取り組む人（以下，減量実施者と呼ぶ）は，日々の生活の中で食習慣や運動習慣を見直し，食事を減らしたり運動を増やすなどの減量メニューを選択して実行する。保健師や管理栄養士などの減量指導者が減量メニューを提示する場合もある。
【０００４】
このような減量に関連する技術として，特許文献１では，減量実施者の目標体重や食事状況，運動状況に応じて，摂取エネルギーや消費エネルギーの目標値を提示したり，その目標値を満たすための食事制限や運動方法などのメニューを提示する技術が紹介されている。
【０００５】
【特許文献１】特開２００４−２２７５２２号
【発明の開示】
【発明が解決しようとする課題】
【０００６】
このような技術では，減量実施者にとって必ずしも実行し易いメニューが提示されるわけではない場合もあった。特に食事は個人の社会的・文化的な営みであり，生活の楽しみの一部であるため，日頃好んで摂取しているものを無理に抑制すると，減量実施者にとって大きなストレスとなる可能性もある。運動についても同様で，苦しい運動を無理に続けるよりも，減量実施者本人が楽しみながらできる運動の方が継続できる。また，減量実施者によっては，短時間で高い効果を上げたい人や，時間はかかってもじっくりと取り組める減量メニューを選びたい人もいる。このため，減量においては，減量実施者の意思を尊重し，無理なく実行できる減量メニューを選択することが重要である。
【０００７】
本発明の目的は，過去の減量実施者の減量実績をもとに，食事や運動などの減量メニューに対して，取り組み易さを表す実施率や減量効率の良さを表す減量効果を算出することで，上記の課題を解決し，減量メニューの選択に役立つ支援情報を提供する保健指導支援システムを実現することにある。
【課題を解決するための手段】
【０００８】
上記課題は，ユーザの生体情報と生活習慣情報を抽出条件として入力する入力手段と，健康状態に関連する行動をメニューとして記憶するメニュー記憶手段と，複数の測定タイミングにおいて測定された複数の被験者の体重情報を記憶する体重記憶手段と，前記複数の被験者の生体情報と生活習慣情報を含む被験者情報を記憶する被験者情報記憶手段と、前記複数の測定タイミングで区切られる所定期間内において，前記メニュー毎に，前記複数の被験者が前記メニューを選択した選択回数と前記メニューを実施した実施回数を夫々記憶するメニュー実施状況記憶手段とを有する保健指導支援システムにおいて，前記入力手段により入力された前記ユーザの生体情報と生活習慣情報をもとに前記被験者情報記憶手段に記憶された前記複数の被験者の前記被験者情報から対応する被験者の前記被験者情報を抽出し、前記体重記憶手段から前記被験者の体重情報を抽出し、前記メニュー実施状況記憶手段から前記所定期間内において前記被験者によって選択された前記メニュー及び前記メニューを選択した選択回数と前記メニューを実施した実施回数とを抽出する抽出手段と，前記所定期間内において前記被験者によって選択された前記メニュー毎に，前記選択回数に対する前記実施回数の割合を実施率として算出する実施率算出手段と，前記所定期間内において前記被験者によって選択された前記メニュー毎に，前記被験者の体重変化量と前記実施回数から，前記メニューの実施が寄与した前記体重変化量を減量効果として算出する減量効果算出手段と，前記メニュー毎に前記実施率と前記減量効果を対応付けて表示する表示手段とを備えることを特徴とする保健指導支援システムにより，減量メニューを選択するのに役立つ情報を視覚的に確認可能にしつつ，解決できる。
【発明の効果】
【０００９】
本発明により，過去の減量実施者の減量実績をもとに，食事や運動などの減量メニュー毎に実施率や減量効果を算出し，取り組み易いメニューは何か，効率よく減量できるメニューは何かなどを視覚的に確認できるようにしたので，ユーザが減量メニューを選択するのに役立てられる。また，メニューを分類したカテゴリ毎に実施率や減量効果を算出し，取り組み易いカテゴリは何か，効率よく減量できるカテゴリは何かなどを視覚的に確認できるようにしたので，ユーザがカテゴリから減量メニューを選択するのに役立てられる。また，複数のメニューを実施率や減量効果などの詳細情報をもとに順位付けて表示し，減量メニューを選択するのに役立つ情報を視覚的すばやく把握できるようにしたので，ユーザが知りたいメニューを短時間で見つけることができ，効率的に減量メニューを選択できる。また，登録されていないメニューを新規に登録できるようにしたので，個人別の減量プログラムを容易に構築できるとともに，ユーザが意欲的に減量に取り組めるという効果がある。
【実施例１】
【００１０】
以下，本発明の一実施例である保健指導支援システムを，図を引用して詳細に説明する。なお，本実施例における保健指導支援システムのユーザは，減量を実施する減量実施者である。本システムは，減量実施者が，減量のために，「食事を減らす」「運動を増やす」などの生活習慣改善に関する減量メニューを複数の選択肢の中から選択し，日々の体重やメニュー実施状況を記録するシステム上に登録する場合に利用される。
図１は，本発明の実施例である保健指導支援システム（以下，本システムと呼ぶ）１００の構成例を示す図である。本システム１００は，制御部１０１と，メニュー記憶装置１０２と，減量実施者情報記憶装置１０３と，体重記憶装置１０４と，メニュー実施状況記憶装置１０５と，入力部１０６と，抽出部１０７と，算出部１０８と，メニュー登録部１０９と，表示部１１０と，で構成されている。本システム１００は，ネットワーク１２０を介して，入出力端末１３０と通信できる。図１の例では，ネットワーク１２０は，インターネットを想定しているが，会社内ＬＡＮや施設内ＬＡＮなどのローカルなネットワークでもよい。また，図１の例では，本システム１００が入出力端末１３０とは別のハードウェアとして記載しているが，本システム１００が入出力機能を搭載していてもよい。また，本システム１００は，ハードウェア構成として記載しているが，本システム１００の機能はソフトウェアで構成されていてもよい。
【００１１】
図２は，メニュー記憶装置１０２の例を示す図である。メニュー記憶装置１０２は，メニューを識別するメニューＩＤを格納するメニューＩＤフィールド２０１，メニュー名称を格納するメニュー名称フィールド２０２，カテゴリを格納するカテゴリフィールド２０３，で構成される。カテゴリフィールド２０３には，メニューを分類する複数の階層が格納される。図２の例では，メニューＩＤがＭ０００１で識別される「ごはん茶碗２／３杯減らす」というメニューが，上位カテゴリでは「食事」，下位カテゴリでは「主食」に分類されることを示している。図２の例では，カテゴリとして上位・下位の２つの階層に分類したが，「主食」の更に下位に「ごはんもの」や「パン」を設定するなど，より細かい階層で分類してもよい。
【００１２】
図３は，減量実施者情報１０３の例を示す図である。減量実施者情報記憶装置１０３は，過去の減量実施者を識別する実施者ＩＤを格納する実施者ＩＤフィールド３０１，性別や年齢などの基本情報を格納する基本情報フィールド３０２，身長，体重，ＢＭＩ（Ｂｏｄｙ  Ｍａｓｓ  Ｉｎｄｅｘ），腹囲などの測定情報を格納する測定情報フィールド３０３，間食習慣，飲酒習慣などの問診情報を格納する問診情報フィールド３０４，で構成される。
【００１３】
図４は，体重記憶装置１０４の例を示す図である。体重記憶装置１０４は，過去の減量実施者を識別する実施者ＩＤを格納する実施者ＩＤフィールド４０１，体重を格納する体重フィールド４０２，で構成される。体重フィールド４０２には，減量１日目，減量２日目，減量３日目，・・・のように，減量経過日毎の体重が格納される。
【００１４】
図５は，メニュー実施状況記憶装置１０５の例を示す図である。メニュー実施状況記憶装置１０５は，過去の減量実施者を識別する実施者ＩＤを格納する実施者ＩＤフィールド５０１，メニューを識別するメニューＩＤを格納するメニューＩＤフィールド５０２，実施状況を格納する実施状況フィールド５０３，で構成される。実施状況フィールド５０３には，減量経過日数毎に，該当メニューを選択したかどうか，実施したかどうかが格納される。図５の例では，該当メニューを選択しなかった場合は空欄，該当メニューを選択したが実施しなかった日は「０」，該当メニューを選択し実施した日は「１」が実施状況フィールド５０３に格納される。
【００１５】
図６は，本システム１００の動作を示すフローチャートを示す図である。
【００１６】
本システム１００が処理を開始すると，まず，制御部１０１が入力部１０６を起動し，入出力端末１３０からユーザの基本情報，測定情報，問診情報などの入力を受け付けるステップ６０１を実行する。
【００１７】
図７は，ステップ６０１実行時の入出力端末１３０の画面例７００を示す図である。画面例７００には，基本情報入力欄７０１，測定情報入力欄７０２，問診情報入力欄７０３，メニュー実績表示ボタン７０４，が表示されている。ユーザは，画面例７００において，性別，年齢などの基本情報，ＢＭＩ，腹囲などの測定情報，間食習慣，飲酒習慣などの問診情報を入力する。画面例７００では，ユーザが「性別＝男」「間食習慣＝有」を入力した状態を示している。
【００１８】
画面例７００において，ユーザがメニュー実績表示ボタン７０４を押すと，制御部１０１が抽出部１０７を起動し，減量実施者情報記憶装置１０３に格納された情報をもとに，ユーザが入力した情報に該当する過去の減量実施者を抽出するステップ６０２を実行する。画面例７００の状態でメニュー実績表示ボタン７０４を押した場合，過去の減量実施者の中で「性別＝男」且つ「間食習慣＝有」に該当する者を抽出する。
【００１９】
次に，制御部１０１が算出部１０８を起動し，ステップ６０２で抽出した減量実施者の体重，メニュー実施状況をもとに，全てのメニューに対して，メニュー毎の実施率及び減量効果を算出するステップ６０３を実行する。
【００２０】
図８は，実施率及び減量効果の算出例を示す図である。図８の例では，ステップ６０２において，実施者ＩＤ（８０１）が「Ｐ０００１」「Ｐ０００２」「Ｐ０００３」で識別される３名の過去の減量実施者が抽出された例を示している。ステップ６０３では，まず，抽出された３名それぞれについて，減量実施者情報記憶装置１０３及び体重記憶装置１０４に格納された情報をもとに，減量開始からの体重減少量８０２を算出し，各メニュー（８０３）毎に選択回数８０４，実施回数８０５，実施相当分の体重減少量８０６を算出する。
【００２１】
図８を用いて，実施率の算出方法について述べる。実施率とは各メニュー毎に算出される値で，ステップ６０２で抽出した複数の減量実施者に共通する該当メニューの総選択回数に対する総実施回数の割合のことである。図８の例では，メニュー「Ｍ０００１」は，実施者「Ｐ０００１」が３０回選択５回実施，実施者「Ｐ０００２」が２０回選択２０回実施，実施者「Ｐ０００３」が５０回選択２０回実施，であるため，メニュー「Ｍ０００１」の実施率（８０７）は
（５＋２０＋２０）×１００／（３０＋２０＋５０）＝４５．０％
となる。同様に，メニュー「Ｍ０００２」の実施率は
（６０＋５０＋０）×１００／（１００＋８０＋０）＝６１．１％
メニュー「Ｍ０００３」の実施率は
（２５＋０＋１２０）×１００／（１２０＋０＋１８０）＝４８．３％
メニュー「Ｍ０００４」の実施率は
（０＋１３０＋３０）×１００／（０＋１５０＋５０）＝８０．０％
となる。実施率が高い場合，選択したメニューがよく実施されたことになり，実施率が低い場合，そのメニューが選択されても実際にはあまり実施されなかったことになる。したがって，実施率はメニューの取り組み易さを表す指標となり，実施率が高いほど取り組み易いメニューであると言える。
【００２２】
図８を用いて，減量効果の算出方法について述べる。減量効果とは各メニュー毎に算出される値で，ステップ６０２で抽出した複数の減量実施者毎の全メニュー実施回数と体重減少量の関係から該当メニュー実施回数と該当メニュー実施相当分の体重減少量を求め，複数の減量実施者に共通する該当メニューについて，該当メニューを１回実施したことに相当する体重減少量を求めたものである。図８で具体的な算出例を示す。図８では，実施者「Ｐ０００１」は，３つのメニューの合計実施回数（５＋６０＋２５）＝９０回に対して，体重が４．５ｋｇ減少している。このとき，メニュー「Ｍ０００１」の実施回数は５回であるため，実施者「Ｐ０００１」のメニュー「Ｍ０００１」の実施相当分の体重減少量（８０６）は
４．５×５／（５＋６０＋２５）＝０．２５ｋｇ
と考えることができる。同様に，実施者「Ｐ０００２」のメニュー「Ｍ０００１」の実施相当分の体重減少量は
３．８×２０／（２０＋５０＋１３０）＝０．３８ｋｇ
実施者「Ｐ０００３」のメニュー「Ｍ０００１」の実施相当分の体重減少量は
５．１×２０／（２０＋１２０＋３０）＝０．６０ｋｇ
と考えることができる。これらをまとめると，メニュー「Ｍ０００１」は，３名の実施者により（５＋２０＋２０）＝４５回実施され，合計（０．２５＋０．３８＋０．６０）＝１．２３ｋｇの体重が減少したことになり（８０８），メニュー「Ｍ０００１」を１回実施することで
（０．２５＋０．３８＋０．６０）／（５＋２０＋２０）＝０．０２７ｋｇ
の体重減少量に相当する（８０９）ことになる。これを減量効果と呼び，単位は「ｋｇ／実施回数」である。同様に，メニュー「Ｍ０００２」の減量効果は
（３．００＋０．９５）／（６０＋５０）＝０．０３６ｋｇ／実施回数
メニュー「Ｍ０００３」の減量効果は
（１．２５＋３．６０）／（２５＋１２０）＝０．０３３ｋｇ／実施回数
メニュー「Ｍ０００４」の減量効果は
（２．４７＋０．９０）／（１３０＋３０）＝０．０２１ｋｇ／実施回数
となる。減量効果が高いほど，少ない実施回数で体重をより減少でき，効率の良いメニューであると言える。
次に，制御部１０１が表示部１１０を起動し，ステップ６０３の実行結果を入出力端末１３０に表示するステップ６０４を実行する。
【００２３】
図９は，ステップ６０４実行直後の入出力端末１３０の画面例９００を示す図である。画面例９００には，ステップ６０３で算出したメニュー毎の実施率と減量効果が表示されている。また，画面左上には，ステップ６０２で抽出した過去の減量実施者の抽出条件９０１，抽出された人数９０２が表示されている。各メニューは●で表示されており，縦軸が実施率，横軸が減量効果の散布図で表示される。また，画面上の一つの●を選択すると，そのメニューの名称，画像，実施率，減量効果，実施相当分体重減少量，総実施回数，実施人数などの詳細情報９０３が表示される。画面例９００では，「性別：男性」且つ「間食習慣：有」の過去の減量実施者７人について，メニュー「小倉パン１／３個減らす」の実施率６５．５％，減量効果０．０２７ｋｇ／実施回数，実施相当分体重減少量１２．１２ｋｇ，総実施回数４５０回，実施人数３人であることを示している。このように表示することで，性別や年齢などの基本情報，身長や体重などの測定情報，間食習慣や飲酒習慣などの問診情報をもとに，ユーザと同じような条件に当てはまる過去の減量実施者が選択・実施したメニューについて，取り組み易いメニューは何か，効率良く減量できるメニューは何か，などの情報を視覚的に確認でき，ユーザが減量メニューを選択するときに役立てることができる。また，実施率や減量効果の算出の対象となるメニュー毎の実施相当分体重減少量，総実施回数，実施人数などを表示することで，実施率や減量効果の数値の信頼性を確認でき，ユーザが減量メニューを選択するときに役立てられるという効果がある。
【００２４】
ステップ６０４実行後，本システム１００は動作を終了する。
【００２５】
また，画面例９００には，表示変更ラジオボタン９０４，新規登録ボタン９０５が表示されている。
【００２６】
画面例９００において，ユーザが表示変更ラジオボタン９０４の「上位カテゴリ別」または「下位カテゴリ別」を選択すると，ステップ６０３において，メニュー記憶装置１０２のカテゴリフィールド２０３で分類されるカテゴリ毎に実施率及び減量効果が算出され，結果が入出力端末１３０に表示される。図１０は，画面例９００においてユーザが表示変更ラジオボタン９０４の「下位カテゴリ別」を選択したときの入出力端末１３０の画面例１０００を示す図である。各カテゴリは▲で表示されており，縦軸が実施率，横軸が減量効果の散布図で表示される。画面上の一つの▲を選択すると，そのカテゴリの名称，画像，実施率，減量効果，実施相当分体重減少量，総実施回数，実施人数などの詳細情報１００１が表示される。画面例１０００では，「性別：男性」且つ「間食習慣：有」の過去の減量実施者７人について，下位カテゴリ「アルコール類」の実施率４５．９％，減量効果０．０１８ｋｇ／実施回数，実施相当分体重減少量２．１７ｋｇ，総実施回数１２０回，実施人数５人であることを示している。このように表示することで，取り組み易いカテゴリは何か，効率よく減量できるカテゴリは何か，などの情報を視覚的に確認でき，ユーザが減量メニューをカテゴリから選択するときに役立てることができる。また，実施率や減量効果の算出の対象となるカテゴリ毎の実施相当分体重減少量，総実施回数，実施人数などを表示することで，実施率や減量効果の数値の信頼性を確認でき，ユーザが減量メニューをカテゴリから選択するときに役立てられるという効果がある。
【００２７】
画面例９００において，ユーザが新規登録ボタン９０５を押すと，新規にメニューを登録する画面に遷移する。図１１は，画面例９００においてユーザが新規登録ボタン９０５を押した後の入出力端末１３０の画面例１１００を示す図である。画面例１１００には，カテゴリ上位選択欄１１０１，カテゴリ下位選択欄１１０２，メニュー名称入力欄１１０３，メニュー登録ボタン１１０４，が表示されている。ユーザは，新規に登録したいメニューの上位，下位のカテゴリを，１１０１，１１０２で選択し，１１０３にメニュー名称を入力する。画面例１１００では，上位カテゴリとして「食事」，下位カテゴリとして「間食」が選択され，メニュー名称「せんべい１枚減らす」が入力された状態を示している。画面例１１００において，ユーザがメニュー登録ボタン１１０４を押すと，本システムは，制御部１０１がメニュー登録部１０９を起動し，メニュー記憶装置１０２に新規メニューが登録される。これにより，ユーザが選択したいメニューがメニュー記憶装置１０２に登録されていない場合でも，希望するメニューを設定できるので，ユーザ個人別の減量プログラムを容易に構築できるとともに，ユーザが意欲的に減量に取り組めるという効果がある。
【００２８】
本実施例では，ステップ６０１の説明において，画面例７００上で基本情報，測定情報，問診情報などをユーザが入力するよう記述したが，定期健康診断や人間ドックなどの健診情報が蓄積された健診情報システム等の他のシステムから，本システムが自動的に基本情報，測定情報，問診情報などのデータを抽出して，ステップ６０１を実行してもよい。これにより，ユーザの入力作業を軽減できる。
【００２９】
本実施例では，ステップ６０２の説明において，ステップ６０１でユーザが入力した情報の論理積に該当する過去の減量実施者を抽出するよう記述したが，論理和，否定論理積，排他的論理和など，他の抽出方法で抽出してもよい。また，抽出方法をユーザが指定できてもよい。これにより，過去の減量実施者の実績を様々な集団別に分析することができるので，減量実施者に対して減量を指導する指導者が本システムを利用することで，集団別に効果の高い減量プログラムを構築できる。
【００３０】
本実施例では，ステップ６０２の説明において，ステップ６０１で入力したユーザの基本情報，測定情報，問診情報を条件に過去の減量実施者を抽出するよう記述したが，ユーザが既に減量を開始している場合には，ユーザが現在選択しているメニューや，ユーザの現時点までの体重グラフの形状など，減量経過を条件にして過去の減量実施者を抽出してもよい。図１３は，減量経過を条件に過去の減量実施者を抽出する方法の例を示す図である。ユーザが現在選択しているメニューを条件（１３０１）に，同じメニューを選択したことのある過去の減量実施者を抽出する（１３０２，１３０３）ことで，ユーザと同じような減量プログラムで減量に取り組んだ過去の減量実施者を対象として実施率や減量効果を算出できる。また，ユーザの現時点までの体重グラフの形状を条件（１３０４）に，体重グラフの形状のマッチングにより過去の減量実施者を抽出する（１３０５，１３０６）ことで，ユーザと同じような体重変化の実績をもつ過去の減量実施者を対象として実施率や減量効果を算出できる。このように，ユーザの減量経過を条件にすることで，ユーザに似た取り組みや実績をもつ過去の減量実施者を抽出できるので，ユーザに対してより信頼性の高い情報を提供でき，既に減量を開始しているユーザが選択しているメニューを変更するのに役立てることができる。
【００３１】
本実施例では，減量効果を，該当メニューを１回実施したことに相当する体重減少量のことと定義した。ここで，メニュー１〜メニューｎのｎ個のメニューが存在し，対象となる過去の減量実施者がＮ人であったと仮定する。このとき，実施者Ａに対して，
Ａの体重減少量  ＝  Ａのメニュー１実施回数×メニュー１の減量効果
＋Ａのメニュー２実施回数×メニュー２の減量効果
＋・・・
＋Ａのメニューｎ実施回数×メニューｎの減量効果
という式を定義すると，Ｎ人の減量実施者に対してＮ個の式が定義できる。このＮ個の式に対して重回帰分析などの統計学的手法を用いることで，対象となる減量実施者全員の式に対して最も誤差が小さくなるようにメニュー１〜メニューｎの減量効果を算出することができる。これにより，メニュー毎の減量効果をより精度よく算出できるので，ユーザが減量メニューを選択するときに役立てることができる。
【００３２】
本実施例では，図９及び図１０において，メニューやカテゴリを，縦軸が実施率，横軸が減量効果の散布図で表示したが，メニュー詳細情報９０３やカテゴリ詳細情報１００１に含まれる実施相当分体重減少量，総実施回数，実施人数などに応じて散布図中の●や▲の大きさを変えて表示してもよい。また，実施率，減量効果，実施相当分体重減少量，総実施回数，実施人数などによりメニューやカテゴリをソーティングして順位付けて表示してもよい。このように表示することにより，実施率が高いメニュー，減量効果が高いメニュー，総実施回数が多いメニューなどを視覚的にすばやく把握できるので，ユーザが知りたいメニューを短時間で見つけることができ，効率的に減量メニューを選択できる効果がある。
【００３３】
本実施例では，ステップ６０１において一人のユーザが入力した情報に対して，ステップ６０２，ステップ６０３を実行するよう記述したが，全ての入力の組み合わせに応じてステップ６０２，ステップ６０３を予め実行して実行結果をデータベース等の記憶装置上に保存しておき，ユーザの入力に応じた結果を抽出して表示してもよい。これにより，本システムを複数のユーザが同時に利用した場合に，ステップ６０２，ステップ６０３を複数同時に実行することで発生する恐れがあるシステム処理速度の低下やシステムダウンを防ぐことができる。
【００３４】
また，メニュー記憶装置１０２，減量実施者情報記憶装置１０３，体重記憶装置１０４，メニュー実施状況記憶装置１０５は，減量中の減量参加者の減量経過に応じて，定期的またはシステム管理者などの操作により更新されてもよい。これにより，常に最新の情報に基づいた実施率，減量効果を算出，表示できる。
【００３５】
本システムによって出力された情報をもとに，減量を実施するユーザが生活習慣改善に関する減量メニューを複数の選択肢の中から選択し，選択したメニューを日々実行して減量に取り組むことになる。このとき，日々の体重やメニュー実施状況を，図４の体重記憶装置１０４や図５のメニュー実施状況記憶装置１０５のような記憶装置に記録するシステム（以下，減量記録システムと呼ぶ）がある場合には，本システムのステップ６０４実行後，画面例９００上で選択した●を操作して減量記録システム上でユーザの選択メニューとして登録できるようにしてもよい。
【００３６】
図１２は，減量記録システムの画面例を示す図である。画面例１２００は減量プログラムを決定するときの画面例，画面例１２０２は日々の体重やメニュー実施状況を記録するときの画面例である。画面例１２００には，減量を実施するユーザの減量開始日，減量終了日，減量開始時体重，減量終了時目標体重，選択メニューなど，減量プログラムに関する情報を入力する欄が表示されている。このとき，画面例９００で選択した●に対して，例えばクリックやドラッグ等の操作を行うことにより，画面例１２００上にユーザの選択メニューとして表示されるようにし，決定ボタン１２０１を押すことにより，減量記録システム上でユーザの選択メニューとして登録されるようにする。画面例１２０２には，日付，体重，メニュー実施状況を入力する欄が表示されている。このとき，メニュー実施状況を入力する欄には，画面例１２００において選択したメニューと，そのメニューを実施したかどうかを選択するラジオボタンが表示されている。ユーザが，画面例１２０２において，日々の体重とメニュー実施状況を入力して決定ボタン１２０３を押すと，入力された内容が図４の体重記憶装置１０４，図５のメニュー実施状況記憶装置１０５に記録される。このように，本システムを減量記録システムの一部として動作させることで，減量プログラムの決定から減量の記録までを総合的に支援するシステムとして利用できる。
【００３７】
また，実施率と減量効果を活用することで，選択メニューによるユーザの将来の体重を予測することが可能になる。図１４は，選択メニューによる体重予測の方法を示す図である。メニュー「Ｍ０００１」，メニュー「Ｍ０００２」，メニュー「Ｍ０００３」についてステップ６０３で算出したそれぞれの実施率が７０％，３０％，８０％で，減量効果が０．０４ｋｇ／実施回数，０．０５ｋｇ／実施回数，０．０３ｋｇ／実施回数であるとする。ここで，これら３つのメニューを選択したユーザが，算出された実施率と同じ頻度で３０日間減量した場合の体重を予測する場合を考える。仮に実施率が１００％のメニューがあった場合，３０日間の実施回数は３０×１．００＝３０回である。メニュー「Ｍ０００１」については，実施率７０％であるから，これと同じ頻度で３０日間実施したときの予測実施回数は３０×０．７０＝２１回である。この予測実施回数に減量効果０．０４ｋｇ／実施回数を乗算すれば，メニュー「Ｍ０００１」の実施に相当する体重減少量が予測できる。すなわち，３０日間のメニュー「Ｍ０００１」の実施で予測される体重減少量は
３０×０．７０×０．０４＝０．８４ｋｇ
となる。同様に，メニュー「Ｍ０００２」の実施で予測される体重減少量は
３０×０．３０×０．０５＝０．４５ｋｇ
メニュー「Ｍ０００３」の実施で予測される体重減少量は
３０×０．８０×０．０３＝０．７２ｋｇ
となる。よって，これらを合計した（０．８４＋０．４５＋０．７２）＝２．０１ｋｇ体重が減少すると予測できる。このとき，ユーザ自身が実施率を変更できるようにしてもよい。例えば，図１４に示した例（１４０１）のように，メニュー「Ｍ０００２」については過去の減量実施者よりも高頻度で実施し，その分メニュー「Ｍ０００３」の頻度を下げて実施した場合の予測体重がどう変化するか，といったように，ユーザが意識的に変更できる実施率の値に応じた体重予測も可能である。このように算出した予測体重をグラフなどで表示することで，ユーザがメニューを選択するときの参考情報として役立てることができるとともに，ユーザが意欲的に減量に取り組めるという効果がある。
【００３８】
以上のように，本システムにより，過去の減量実施者の減量実績をもとに，食事や運動などの減量メニュー毎に実施率や減量効果を算出し，取り組み易いメニューは何か，効率よく減量できるメニューは何かなどを視覚的に確認できるようにしたので，ユーザが減量メニューを選択するのに役立てられる。また，メニューを分類したカテゴリ毎に実施率や減量効果を算出し，取り組み易いカテゴリは何か，効率よく減量できるカテゴリは何かなどを視覚的に確認できるようにしたので，ユーザがカテゴリから減量メニューを選択するのに役立てられる。また，複数のメニューを実施率や減量効果などの詳細情報をもとに順位付けて表示し，減量メニューを選択するのに役立つ情報を視覚的すばやく把握できるようにしたので，ユーザが知りたいメニューを短時間で見つけることができ，効率的に減量メニューを選択できる。また，登録されていないメニューを新規に登録できるようにしたので，個人別の減量プログラムを容易に構築できるとともに，ユーザが意欲的に減量に取り組めるという効果がある。
【図面の簡単な説明】
【００３９】
【図１】本発明の実施例である保健指導支援システムの構成例を示す図。
【図２】メニュー記憶装置１０２の例を示す図。
【図３】減量実施者情報１０３の例を示す図。
【図４】体重記憶装置１０４の例を示す図。
【図５】メニュー実施状況記憶装置１０５の例を示す図。
【図６】本システムの動作を示すフローチャートを示す図。
【図７】ステップ６０１実行時の入出力端末１３０の画面例を示す図。
【図８】実施率及び減量効果の算出例を示す図。
【図９】ステップ６０４実行直後の入出力端末１３０の画面例を示す図。
【図１０】ユーザが表示変更ラジオボタン９０４の「下位カテゴリ別」を選択したときの入出力端末１３０の画面例を示す図。
【図１１】ユーザが新規登録ボタン９０５を押した後の入出力端末１３０の画面例を示す図。
【図１２】減量記録システムの画面例を示す図。
【図１３】減量経過を条件に過去の減量実施者を抽出する方法の例を示す図。
【図１４】選択メニューによる体重予測の方法を示す図。
【符号の説明】
【００４０】
１００  本システム，１０１  制御部，１０２  メニュー記憶装置，１０３  減量実施者情報記憶装置，１０４  体重記憶装置，１０５  メニュー実施状況記憶装置，１０６  入力部，１０７  抽出部，１０８  算出部，１０９  メニュー登録部，１１０  表示部，１２０  ネットワーク，１３０  入出力端末，
２０１  メニューＩＤフィールド，２０２  メニュー名称フィールド，２０３  カテゴリフィールド，
３０１  実施者ＩＤフィールド，３０２  基本情報フィールド，３０３  測定情報フィールド，３０４  問診情報フィールド，
４０１  実施者ＩＤフィールド，４０２  体重フィールド，
５０１  実施者ＩＤフィールド，５０２  メニューＩＤフィールド，５０３  実施状況フィールド，
６０１  入力受付ステップ，６０２  減量実施者抽出ステップ，６０３  実施率及び減量効果算出ステップ，６０４  結果表示ステップ，
７００  ステップ６０１実行時の入出力端末１３０の画面例，７０１  基本情報入力欄，７０２  測定情報入力欄，７０３  問診情報入力欄，７０４  メニュー実績表示ボタン７０４，
８０１  実施者ＩＤ，８０２  減量開始からの体重減少量，８０３  メニューＩＤ，８０４  選択回数，８０５  実施回数，８０６  実施相当分の体重減少量，８０７  実施率，８０８  実施相当分の体重減少量の３名合計，８０９  減量効果，
９００  ステップ６０４実行直後の入出力端末１３０の画面例，９０１  抽出条件，９０２  抽出人数，９０３  メニュー詳細情報，９０４  表示変更ラジオボタン，９０５  新規登録ボタン，
１０００  ユーザが表示変更ラジオボタン９０４の「下位カテゴリ別」を選択したときの入出力端末１３０の画面例，１００１  カテゴリ詳細情報，
１１００  ユーザが新規登録ボタン９０５を押した後の入出力端末１３０の画面例，１１０１  上位カテゴリ選択欄，１１０２  下位カテゴリ選択欄，１１０３  メニュー名称入力欄，１１０４  メニュー登録ボタン， 
１２００  減量記録システムにおいて減量プログラムを決定するときの画面例，１２０１  決定ボタン，１２０２  減量記録システムにおいて日々の体重やメニュー実施状況を記録するときの画面例，１２０３  決定ボタン，
１３０１  ユーザが現在選択しているメニュー，１３０２  ユーザと同じメニューを選択したことのある過去の減量実施者Ｂ，１３０３  ユーザと同じメニューを選択したことのある過去の減量実施者Ｄ，１３０４  ユーザの現時点までの体重グラフ，１３０５  体重グラフのマッチングにより抽出された過去の減量実施者Ａ，１３０６  体重グラフのマッチングにより抽出された過去の減量実施者Ｄ，
１４０１  実施率変更後の体重予測。
【図１】
0005002404.tif 000002
【図２】
0005002404.tif 000003
【図３】
0005002404.tif 000004
【図４】
0005002404.tif 000005
【図５】
0005002404.tif 000006
【図６】
0005002404.tif 000007
【図７】
0005002404.tif 000008
【図８】
0005002404.tif 000009
【図９】
0005002404.tif 000010
【図１０】
0005002404.tif 000011
【図１１】
0005002404.tif 000012
【図１２】
0005002404.tif 000013
【図１３】
0005002404.tif 000014
【図１４】
0005002404.tif 000015